(57)【要約】  容器に用いられる濾過システムは、フィルタアセンブリおよび風味浸出器を保持するバスケットを含んでいる。バスケットは、容器の開口部の少なくとも一部分にぶら下がっている。濾過システムは、フィルタアセンブリをさらに含んでいてもよい。フィルタアセンブリは、フィルタアセンブリ底部およびフィルタアセンブリ上部をさらに含んでいてもよい。
2017518870.tif 000002
【特許請求の範囲】
【請求項１】
容器に用いられる濾過システムであって、
フィルタアセンブリおよび風味浸出器を保持するように構成されたバスケットを備えており、
上記バスケットは、上記容器の開口部の少なくとも一部分にぶら下がるように構成されていることを特徴とする濾過システム。
【請求項２】
上記フィルタアセンブリをさらに含んでいることを特徴とする請求項１に記載の濾過システム。
【請求項３】
上記フィルタアセンブリは、フィルタアセンブリ底部およびフィルタアセンブリ上部を含んでいることを特徴とする請求項２に記載の濾過システム。
【請求項４】
上記フィルタアセンブリ底部および上記フィルタアセンブリ上部のうちの少なくとも一方は、上記バスケットによって形成されていることを特徴とする請求項３に記載の濾過システム。
【請求項５】
上記フィルタアセンブリ底部と上記フィルタアセンブリ上部とは、溶接されていることを特徴とする請求項３に記載の濾過システム。
【請求項６】
上記フィルタアセンブリは、炭素フィルタを含んでいることを特徴とする請求項２に記載の濾過システム。
【請求項７】
上記風味浸出器をさらに含んでいることを特徴とする請求項１に記載の濾過システム。
【請求項８】
上記風味浸出器は、複数の孔部を含んだ伸張したチャンバを備えており、
上記伸張したチャンバは、上記バスケットの下方の、上記容器の内部の空洞の中に垂れ下がるように構成されていることを特徴とする請求項７に記載の濾過システム。
【請求項９】
上記風味浸出器は、上記バスケットから取り外し可能であることを特徴とする請求項７に記載の濾過システム。
【請求項１０】
上記風味浸出器は、上記バスケットによって形成されていることを特徴とする請求項７に記載の濾過システム。
【請求項１１】
上記容器は、水差しであることを特徴とする請求項１に記載の濾過システム。
【請求項１２】
容器であって、
フィルタアセンブリおよび風味浸出器を保持するように構成されたバスケットを備えており、
上記バスケットは、上記容器の開口部の少なくとも一部分にぶら下がっていることを特徴とする容器。
【請求項１３】
上記フィルタアセンブリをさらに含んでいることを特徴とする請求項１２に記載の容器。
【請求項１４】
上記フィルタアセンブリは、炭素フィルタを含んでいることを特徴とする請求項１３に記載の容器。
【請求項１５】
上記風味浸出器をさらに含んでいることを特徴とする請求項１２に記載の容器。
【請求項１６】
上記風味浸出器は、複数の孔部を含んだ伸張したチャンバを備えており、
上記伸張したチャンバは、上記バスケットの下方の、上記容器の内部の空洞の中に垂れ下がるように構成されていることを特徴とする請求項１５に記載の容器。
【請求項１７】
上記風味浸出器は、上記バスケットによって形成されていることを特徴とする請求項１５に記載の容器。
【請求項１８】
上記バスケットと上記容器とは、一体に形成されていることを特徴とする請求項１２に記載の容器。
【請求項１９】
上記容器は、水差しであることを特徴とする請求項１２に記載の容器。
【発明の詳細な説明】
【発明の詳細な説明】
【０００１】
〔関連出願の相互参照〕
本願は、同時係属の米国特許出願第６１／９９２，８２３号（２０１４年５月１３日出願）の優先権およびその利益を主張する。当該出願の全ての開示内容は、あらゆる目的のために、参照によって本明細書に組み込まれる。
〔本開示の分野〕
本開示は、フィルタを含む容器に関し、より具体的には、フィルタおよび風味浸出システムを含む容器に関する。
〔背景〕
体質量にもよるが、人間の体は５５〜７８％の水を含んでいる。脱水症状を避け、正常に機能するためには、人間の体は１日当たり約１〜５リットルの水を必要とする。多くの人々は、濾過が必要である、または濾過が必要であると認識されている水源（例えば、湖、川、井戸、公営の上水道等）から取得された水を飲んでいる。さらに、新鮮な果物および風味パック等を浸出させることによって、水または他の液体に風味を添えることを嗜んでいる人々もいる。濾過および浸出された水を提供するための手法が必要とされている。
〔概要〕
本開示の少なくとも１つの態様において、容器に用いられる濾過システムは、フィルタアセンブリおよび風味浸出器を保持するように構成されたバスケットを含んでおり、上記バスケットは、上記容器の開口部の少なくとも一部分にぶら下がるように構成されている。
【０００２】
上記濾過システムは、上記フィルタアセンブリをさらに含んでいてもよい。上記フィルタアセンブリは、フィルタアセンブリ底部およびフィルタアセンブリ上部をさらに含んでいてもよい。
【０００３】
ある実施形態において、上記フィルタアセンブリ底部および上記フィルタアセンブリ上部のうちの少なくとも一方は、上記バスケットによって形成されている。上記フィルタアセンブリ底部と上記フィルタアセンブリ上部とは、溶接されていてもよい。ある実施形態において、上記フィルタアセンブリは、当該フィルタアセンブリの内部に配置された炭素フィルタを含んでいる。
【０００４】
上記濾過システムは、上記風味浸出器をさらに含んでいてもよい。上記風味浸出器は、複数の孔部を含んだ伸張したチャンバを備えていてもよく、上記伸張したチャンバは、上記バスケットの下方の、上記容器の内部の空洞の中に垂れ下がるように構成されている。ある実施形態において、上記風味浸出器は、上記バスケットから取り外し可能である。他の実施形態において、上記風味浸出器は、上記バスケットによって形成されていてもよい。
【０００５】
本開示の少なくとも１つの態様において、容器は、フィルタアセンブリおよび風味浸出器を保持するように構成されたバスケットを含んでおり、上記バスケットは、上記容器の開口部の少なくとも一部分にぶら下がっている。上記容器は、上記フィルタアセンブリをさらに含んでいてもよい。上記容器は、上記風味浸出器をさらに含んでいてもよい。
【０００６】
ある実施形態において、上記バスケットと上記容器とは、一体に形成されていてもよい。上記容器は、水差しまたはその他の任意の好適な容器であってもよい。以下、本開示の他の態様および実施形態を説明する。
〔図面の簡単な説明〕
本開示の上述および他の目的、構成、ならびに利点は、添付の図面と合わせて考慮されることで、以下の詳細な説明からより明確に理解されるであろう。
【０００７】
図１は、本開示に係る容器の例示的な実施形態の斜視図であり、当該容器の内部に配置されている濾過アセンブリを示す。
【０００８】
図２は、図１の容器の断面側面図であり、上記濾過アセンブリを断面で示す。
【０００９】
図３は、図１の容器の分解側面図である。
【００１０】
図４は、図１の容器の上面平面図である。
【００１１】
図５は、本開示に係るフィルタアセンブリの分解斜視図である。
〔実施形態の詳細な説明〕
以下、本開示の様々な実施形態に詳細に言及する。当該実施形態の例は、添付の図面に示されており、以下に説明される。例示的な実施形態が説明されるが、本開示はこれらの例示的な実施形態に限定されないことは理解されるであろう。一方、本開示は、本明細書において説明される実施形態のみならず、本開示の精神および範囲に包含され得る様々な代替物、変形物、同等物、および他の実施形態をも含む。
【００１２】
本明細書において与えられる範囲は、当該範囲内の全ての数値の略記であると理解されてよい。例えば、１〜５０という範囲は、「１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、または５０」からなる群から選ばれる任意の数字、当該数字の組み合わせ、または部分的な範囲のみならず、上述の各整数の間に存在する全ての１０進数の値、例えば、「１．１、１．２、１．３、１．４、１．５、１．６、１．７、１．８、および１．９」をも含むと理解されてよい。部分的な範囲に関しては、上記範囲の各終点から伸延する「ネスト化された部分的な範囲」が特に考慮される。例えば、１〜５０という例示的な範囲におけるネスト化された部分的な範囲は、一方向では「１〜１０、１〜２０、１〜３０、および１〜４０」を、または他方向では「５０〜４０、５０〜３０、５０〜２０、および５０〜１０」を含んでいてもよい。
【００１３】
明記されていない限り、または文脈から明らかでない限り、本明細書において使用される文言「約（about）」および同様の文言（例えば「略（substantially）」、「近似的に（approximately）」）は、本分野において通常の許容範囲内、例えば、平均値の２標準偏差の範囲内であると理解される。こうした文言は、記載された値の「１０％、９％、８％、７％、６％、５％、４％、３％、２％、１％、０．５％、０．１％、０．０５％、または０．０１％以内」を意味すると理解されてよい。文脈から明らかでない限り、本明細書において与えられる全ての数値は、「約（about）」という文言によって修飾される。
【００１４】
図１を参照すると、濾過システム１００は、蓋１０９およびハンドル１１１を有する容器１０１を含んでいてもよい。蓋１０９は、開口部を覆うフラップ１１３をさらに含んでいてもよい。当該開口部によって、容器１０１から液体が取り出される。図２に示されるように、フラップ１１３は、ヒンジ式の連結部１１５によって蓋１０９と連結されてもよい。また、図３に示されるように、ハンドル１１１は、内部部品１１１ａを含んでいてもよい。
【００１５】
図１〜図５を参照すると、本開示の少なくとも１つの態様おいて、容器１０１に用いられる濾過システムは、バスケット１０３を含んでいる。バスケット１０３は、（ｉ）容器１０１の開口部の少なくとも一部分にぶら下がるとともに、（ｉｉ）フィルタアセンブリ１０５（例えば図５を参照）および風味浸出器１０７を保持するように構成されている。図２に示されるように、フィルタアセンブリ１０５は、フィルタアセンブリ底部１０５ｂおよびフィルタアセンブリ上部１０５ａをさらに含んでいてもよい。ある実施形態では、フィルタアセンブリ底部１０５ｂおよびフィルタアセンブリ上部１０５ａのうちの少なくとも一方は、バスケット１０３によって形成されてよい。これにより、バスケット１０３およびフィルタアセンブリ１０５の少なくとも一部分（例えば、フィルタアセンブリ底部１０５ｂ）は、当該バスケット１０３の一部分を形成する。
【００１６】
ある実施形態では、フィルタアセンブリ底部１０５ｂとフィルタアセンブリ上部１０５ａとは、当該フィルタアセンブリ底部１０５ｂとフィルタアセンブリ上部１０５との間に配置されているフィルタ部材とともに、溶接または別の方法によって連結されもよい。この場合、各部を互いに取り外すことができなくなる。他の実施形態では、フィルタアセンブリ上部１０５ａとフィルタアセンブリ底部１０５ｂとは、分離可能であってもよい。この場合、上記フィルタ部材は、取り外しおよび／または交換可能となる。フィルタアセンブリ１０５は、当該フィルタアセンブリ１０５の内部に配置された液体フィルタ（不図示）を含むように構成されてもよい。当業者であれば、液体フィルタは、例えば、炭素フィルタ、活性炭フィルタ、炭素ブロックフィルタ、粒状活性炭フィルタ、セラミックフィルタ、脱イオンフィルタ、ファイバーダイン（fibredyne）ブロックフィルタ、イオン交換樹脂フィルタ／カラム、機械式フィルタ（例えば篩）等の本分野において周知の様々なフィルタのうちの任意の１つであってよいことが理解できるであろう。さらに、フィルタアセンブリ１０５は、フィルタアセンブリ上部１０５ａとフィルタアセンブリ底部１０５ｂとの間に位置するガスケットまたはシールを含むように構成されていてもよい。
【００１７】
濾過システム１００は、風味浸出器１０７をさらに含んでいてもよい。風味浸出器１０７は、任意の様々な風味源を受容するように構成されている。当該風味源は、果物（例えば、丸ごとの果物、カットされた果物、破砕された果物等）、風味のパックまたはカートリッジ（例えば、茶、人工香料等）等を含むが、これらに限定されない。図に示されるように、風味浸出器１０７は、複数の孔部を含んだ伸張したチャンバを備えていてもよい。当該伸張したチャンバは、バスケット１０３の下方の、容器１０１の内部の空洞の中に垂れ下がるように構成されている。風味浸出器１０７は、その他の好適な形状またはサイズを有していてもよい。
【００１８】
ある実施形態では、風味浸出器１０７は、バスケット１０３から取り外し可能である。他の実施形態では、バスケット１０３と風味浸出器１０７とが連続した１つの部材を形成するように、風味浸出器１０７はバスケット１０３によって形成されていてもよい。
【００１９】
本開示の少なくとも１つの態様では、容器１００は、フィルタアセンブリ１０５および風味浸出器１０７を保持するように構成されたバスケット１０３を含んでいる。バスケット１０３は、容器１０１の開口部の少なくとも一部分にぶら下げられている。容器１０１は、フィルタアセンブリ１０５をさらに含んでいてもよい。容器１０１は、風味浸出器１０７をさらに含んでいてもよい。
【００２０】
ある実施形態では、バスケット１０３と容器１０１とは、一体に形成されていてもよい。あるいは、バスケット１０３と容器１０１とは、恒久的に互いに連結されていてもよい。図に示されるように、容器１０１は、水差しであってもよい。当業者であれば、容器１０１が、例えば、瓶、マグ、魔法瓶、および／またはスポーツ用の容器等のその他の任意の好適な容器であってもよく、任意の好適な材料（例えば、プラスチック、金属、およびガラス等）によって製作されていてもよいことが理解されるであろう。また、容器１０１は、蓋１０９を含んでいてもよい。
【００２１】
本明細書において説明した濾過システムの様々な実施形態における任意の部材は、任意の好適な材料によって製作されていてもよい。当該材料は、プラスチック、金属、および／またはセラミックスを含むが、これらに限定されない。
【００２２】
開示された実施形態を詳細に説明したが、本開示の原理及び精神から逸脱しなければ、これらの実施形態において変更がなされてもよいことは、当業者に理解されるであろう。
【図面の簡単な説明】
【００２３】
【図１】本開示に係る容器の例示的な実施形態の斜視図であり、当該容器の内部に配置されている濾過アセンブリを示す。
【図２】図１の容器の断面側面図であり、上記濾過アセンブリを断面で示す。
【図３】図１の容器の分解側面図である。
【図４】図１の容器の上面平面図である。
【図５】本開示に係るフィルタアセンブリの分解斜視図である。
【図１】
2017518870.tif 000003
【図２】
2017518870.tif 000004
【図３】
2017518870.tif 000005
【図４】
2017518870.tif 000006
【図５】
2017518870.tif 000007
【国際調査報告】
2017518870.tif 000008
2017518870.tif 000009